(57)【要約】【課題】  袋体を単純な成形であって、開口部を広くとった場合も含め、容易に開閉でき、それと同時に、袋体の中に入れる物の量が増減しても、常に、安定した状態で積極的に袋体内部に包み込む機能を有する袋体にすることにある。【解決手段】  略平行四辺形に形成した布地２０の向かい合う二つの長辺１３・１４を鈍角９・１０の頂点１７・１８からそれぞれ１：１：Ｘ（１・２・３）（４・５・６）に三分割し、それぞれ向かい合う長辺１３・１４について、同一面上の１：１の部分（１・２と４・５）を、縫い付け、袋状にしたことを特徴とする。【選択図】図１
2008137723.tif 000002
【特許請求の範囲】
【請求項１】
略平行四辺形に形成した布地の向かい合う二つの長辺を、鈍角の頂点からそれぞれ１：１：Ｘに三分割し、それぞれ向かい合う長辺について、同一面上の前記１：１の部分を互いに縫い止め、袋状としたことを特徴とする袋体。
【請求項２】
前記１：１：Ｘは、布地の向かい合う二つの鋭角の頂点が重なる時の比率で置くことを特徴とする請求項１記載の袋体。
【請求項３】
前記布地は、正方形、長方形、菱形が除かれた平行四辺形からなることを特徴とする請求項２記載の袋体。
【発明の詳細な説明】
【技術分野】
【００１】  本発明は手荷物の入れ物、または、持ち運ぶ目的の袋体に関する。
【背景技術】
【００２】  従来技術によるカバン、バック、手提げ袋と呼ばれる袋体は、袋体内部で、中の物が安定することを目的に、開口部分の何箇所かを直接縛ったり、着け外し可能なテープやボタン、ホック、ファスナーなどの留め具を用いて、開口部の向かい合う部分を部分的に留めたり、開口部全体を留める方法を用いた袋体が生産され、使用されている。【００３】  しかしながら、それらの方法も、袋体の中に入れる物の量が増減すると、留め具の留め位置を調節したり、袋体内部で中の物が不安定なまま運んだり、袋体自体の大小を変えたりしなければならない。【００４】  このように、従来技術による袋体は、袋体内部で中の物が安定する様、多くの開口部を閉じる部材で構成され、また、袋体に入れる物の量によって袋体の大小を選択したり、開閉作業を選択したりしている。つまり、袋体自体が、中に入れる物の増減に影響されることなく、積極的に安定して包み込むといった機能を有する訳ではない。【００５】  なお、本発明に関連する公知技術として次の特許文献１、登録実用新案文献１を挙げることが出来る。【００６】
【特許文献１】  特開平１０−５２３０６
【登録実用新案文献１】
登録実用新案第３１０４１３６
【発明の開示】
【発明が解決しようとする課題】
【００７】  上述の様に、従来技術に係る袋体は、袋体の中の物を安定して包み込む為に、袋体の開口部に多くの加工をしなければならない。留め具を使用するために、その開閉作業は多く煩雑である。逆に言えば、閉じた開口部を開いて中の物を取り出す作業にも多くの手間がかかり、袋体の開口部を広くとる場合には、より一層中その加工と開閉作業は増す。【００８】  また、袋体の中に入れる物の量が増減すると、別の大きさの袋体に入れるか、それに応じた別の開閉方法を使用しなくてはならず、袋体内部に安定して包み込む機能をうまく果たさない。【００９】  本発明は、このような点を鑑みて成されたものであり、その目的は、袋体を単純な成形であって、開口部を広くとった場合も含め、容易に開閉できる。それと同時に、袋体の中に入れる物の増減に対応して、常に、安定した状態で、積極的に袋体内部に包み込む機能を有する袋体にすることにある。
【課題を解決するための手段】
【０１０】  上述の目的を達成する本発明の袋体は、略平行四辺形に形成した布地の向かい合う二つの長辺を、鈍角の頂点から、それぞれ１：１：Ｘに三分割し、それぞれ向かい合う長辺について、同一面上の前記１：１の部分を縫い止め、袋体となることを特徴とする。【０１１】  一例として、前記１：１：Ｘは、布地の二つの向かい合う鋭角の頂点が重なる時の比率に置き、前記布地は、正方形、長方形、菱形が除かれた平行四辺形からなる。
【発明の効果】
【０１２】  以上説明したように本発明によれば、略平行四辺形の布地の二辺を部分的に縫い付けるだけの成形で、袋体としての機能を持ち、その形態の中で、短辺とＸから成る向い合う二つの鋭角同士を適宜縛り上げるだけで、容易に開閉することが可能になる。【０１３】  また、その開閉動作と同時に、短辺とＸから成る向い合う二つの鋭角同士の縛る深さを、袋体の中に入れる物の増減に応じて変えることにより、縛った部分が袋体の底に向かって袋上部から下方向に移動するので、袋体が中に入れる物にとって最適な容量となる。
次に、前記動作に連動し、袋体の表の面から裏の面に伸びる対蹠的、相対的位置にある短辺とＸが必然的に短くなる。これにより、開口部の全体を巻き込むことで、常に積極的に袋内部に包み込むことが可能になる。【０１４】  つまり、本発明によれば、袋体内部の物の量が多くても、逆に少なくても、短辺とＸから成る向い合う二つの鋭角同士の縛る深さを、袋体の中に入れる物の増減に応じて変えるだけで、袋体内部の物に対して最適の容量と保持機能を持つ袋体となる。【０１５】  本発明を用いれば、袋体の開口部を広くとる場合においても有用な包材となる。
【発明を実施するための最良の形態】
【０１６】  以下、本発明の実施の形態を図面に基づき詳細に説明する。【０１７】  図１〜図６は本発明の第一の実施の形態に係り、図１は平面展開図、図２は一辺縫い付け時の外観表面図、図３は二辺縫い付け時の外観表面図、図４は図３の外観裏面図、図５は図４の袋体開口部を開いた時の外観斜視図、図６は袋体として開口部を閉じた時の外観図である。【０１８】  図１、に示すように、略平行四辺形に形成した布地２０の向かい合う二つの長辺１３・１４を鈍角９・１０の頂点１７・１８からそれぞれ１：１：Ｘ（１・２・３）（４・５・６）に三分割する。【０１９】  次に、図２、図３に示すように、それぞれ向かい合う長辺１３・１４について、同一面上の１：１の部分（１・２）（４・５）を縫い付け、袋体２３にしたものである。【０２０】  布地の縫い合わせ方法については、留め付け部分の強度を考慮し選択する。例えば、接着剤での止め付けも考えられる。【０２１】  布地２０は、袋体を形成する点、また、本発明の袋体の開閉作業が向かい合う鋭角同士を縛り上げる方法をとるという点から、適度に伸縮性、柔軟性のある布を用いる。【０２２】  略平行四辺形をした布地２０の鋭角と鈍角は、好適には、平行四辺形の向かい合う二つの鋭角を成す短辺１２・１１とＸ３・６が開口部の両端１７・１８に対して近く、等しい距離で作用し、最大限の袋体の容量と効果を出すように。鋭角は大きく、鈍角は小さく設定する。【０２３】  図２、図３、図４に示すように、１：１：Ｘ（１・２・３）（４・５・６）の比率は平行四辺形の二つの向かい合う鋭角７・８の頂点１５・１６が重なる点に置く。【０２４】  図３、図４に示すように短辺１１・１２とＸ３・６が開口部の両端に１８・１７に影響し、短辺については表の面、裏の面の両方に関連するように、対蹠的、相対的位置に配置する本発明の袋体は、正方形、菱形では成されないので、本発明の平行四辺形に形成した布地から除かれる。また、長方形についても、鈍角、鋭角が区別できず、本発明の効果から考え、平行四辺形から除かれる。【０２５】  図５に示すように、袋体２３は、短辺１１・１２とＸ３・６から成る向い合う二つの鋭角７・８同士を適宜縛るだけで、容易に開閉作業が行われる。【０２６】  図６に示すように、開口部を閉じた後の袋体は、袋体内部の物に対して最適の容量と保持機能を持つ袋体となる。
【実施例】
【０２７】  布地２０を例えば長辺１００ｃｍ短辺５０ｃｍ鋭角６０°鈍角１２０°の寸法を有する平行四辺形に形成された布地で、本発明に従って袋体とする。【０２８】  以上、本発明の実施の形態及び実施例を説明したが、本発明の範囲はこれに限定されるものではない。例えば平行四辺形を成す長辺、短辺の長さ、鋭角、鈍角の角度は適宜選択されるものである。また、袋体の開閉に、平行四辺形の向かい合う二つの鋭角同士を縛る方法をとる本発明は、鋭角同士を縛りやすくする目的で、必ずしも短辺が直線であるとは限定しない。さらに実施例では布地について説明しているが、布地に限られるものではなく、柔軟性、伸縮性のある材質を任意に選定することが出来る。
【産業上の利用可能性】
【０２９】  本発明は開閉が簡便な点、開口部が広く取れる点、容量が任意に設定できる点、また、袋内部における物体の保持機能があるという点から、使い捨てレジ袋に代わる包装資材を製造、販売する産業分野で利用することが出来る。
【図面の簡単な説明】
【０３０】
【図１】  本発明の第一の実施の形態に係る布地の平面展開図である。
【図２】  ４・５縫い合わせ時の外観表面図である。
【図３】  図１の成形後（４・５と１・２縫い付け時）の外観表面図である。
【図４】  図３の外観裏面図である。
【図５】  図４の袋体開口部を開いた時の外観斜視図である。
【図６】  図３の袋体の開口部を閉じた時の外観図である。
【符号の説明】
【０３１】２０、        平行四辺形の布地
７，８        鋭角
１５，１６    鋭角の頂点
９，１０      鈍角
１７，１８    鈍角の頂点
１３，１４    長辺
１１，１２    短辺
２１          １と２縫い合わせ後の辺
２２          ４と５縫い合わせ後の辺
１９          袋体成形後の底
２３          袋体
【図１】
2008137723.tif 000003
【図２】
2008137723.tif 000004
【図３】
2008137723.tif 000005
【図４】
2008137723.tif 000006
【図５】
2008137723.tif 000007
【図６】
2008137723.tif 000008